(57)【要約】【課題】既納品のエレベーターに対して、かご内映像記録装置が容易に設置可能なエレベーターのかご内映像記録装置を提供する。【解決手段】エレベーターのかご１内の天井２に設置され、頂部に固定用のカメラねじ部３Ｃを有する監視カメラ３と、天井２にカメラねじ部３Ｃを間挿するカメラ取り付け穴２Ａと、このカメラ取り付け穴２Ａに締結される監視カメラ３が撮影したかご内の映像データを着脱自在な記録媒体４Ａへ記録する記録装置４と、を備えたエレベーターのかご内映像記録装置において、監視カメラ３の上方の天井２上部に配置され、記録装置４と監視カメラ３及び記録装置４へ直流電流を供給する電源装置５を収納するケース６と、このケース６は、天井２に固定する固定部６Ａと、この固定部６Ａに設けられる開放部を覆う蓋部６Ｂと、で構成され、固定部６Ａの底面６ＡＡにカメラ取り付け穴２Ａと略同一径の固定穴６Ａａを設けた。【選択図】図１
2015016938.tif 000002
【特許請求の範囲】
【請求項１】
エレベーターのかご内の天井に設置され、頂部に固定用のカメラねじ部を有する監視カメラと、前記天井に前記カメラねじ部を間挿するカメラ取り付け穴と、このカメラ取り付け穴に締結される前記監視カメラが撮影したかご内の映像データを、着脱自在な記録媒体へ記録する記録装置と、を備えたエレベーターのかご内映像記録装置において、
前記監視カメラの上方の天井上部に配置され、前記記録装置と前記監視カメラ及び前記記録装置へ直流電顕を供給する電源装置を収納するケースと、このケースは、前記天井に固定する固定部と、この固定部に設けられる開放部を覆う蓋部と、で構成され、前記固定部の底面に前記カメラ取り付け穴と略同一径の固定穴を設けたことを特徴とするエレベーターのかご内映像記録装置。
【請求項２】
請求項１記載のエレベーターのかご内映像記録装置において、
前記記録装置は前記蓋部に配設され、記録媒体はメモリカードとしたことを特徴とするエレベーターのかご内映像記録装置。
【発明の詳細な説明】
【技術分野】
【０００１】
本発明は、エレベーターのかご内映像記録装置に関する。
【背景技術】
【０００２】
エレベーター乗りかご内の状況を撮影し、記録装置へ記録するエレベーターのかご内映像記録装置は、従来、エレベーターの乗りかごの出入りロに隣接する位置に配置されるかご呼び登録等を行う運転盤の下部に、通常は施錠されている操作ボックスの内部に映像記録装置のハードディスクドライブを設置し、乗りかご上部に設けた監視カメラの映像信号を、乗りかごの天井上部に配設した信号処理装置を介してハードディスクドライブへ送信し記録させるように構成されている(特許文献1)。
【先行技術文献】
【特許文献】
【０００３】
【特許文献１】特開２００５−２３９３５５号公報
【発明の概要】
【発明が解決しようとする課題】
【０００４】
上記特許文献１記載のエレベーターのかご内映像記録装置は、ハードディスクドライブを運転盤下部の操作ボックス内部に設けるため、既納品のエレベーターに取付けるときは、操作ボックス内部の改造を必要とする問題があった。
【０００５】
また、操作ボックス内部にハードディスクドライブを設け、乗りかご天井上部に信号処理装置を設けるため、ハードディスクドライブと信号処理装置間の配線が長くなり、配線敷設に手間が掛かると共に、比較的配線が長くなるので、映像信号がノイズの影響を受け易く、鮮明な映像が提供できない虞があった。
【０００６】
また、かご内映像記録装置を取り付けるとき、乗りかご内のハードディスクドライブと、乗りかごの天井上部の信号処理装置との２箇所に渡って取り付け作業が必要となり、時間か掛かるという問題があった。
【０００７】
本発明の目的は、既納品のエレベーターに対して、かご内映像記録装置が容易に設置可能なエレベーターのかご内映像記録装置を提供することにある。
【課題を解決するための手段】
【０００８】
上記目的を解決するために、本発明は、エレベーターのかご内の天井に設置され、頂部に固定用のカメラねじ部を有する監視カメラと、前記天井に前記カメラねじ部を間挿するカメラ取り付け穴と、このカメラ取り付け穴に締結される前記監視カメラが撮影したかご内の映像データを、着脱自在な記録媒体へ記録する記録装置と、を備えたエレベーターのかご内映像記録装置において、前記監視カメラの上方の天井上部に配置され、前記記録装置と前記監視カメラ及び前記記録装置へ直流電流を供給する電源装置を収納するケースと、このケースは、前記天井に固定する固定部と、この固定部に設けられる開放部を覆う蓋部と、で構成され、前記固定部の底面に前記カメラ取り付け穴と略同一径の固定穴を設けたものである。
【発明の効果】
【０００９】
本発明によれば、エレベーターの天井上部に配置され、電源装置と記録装置を収納するケースの固定部の底部に設けられ、カメラ取り付け穴と略同一径の固定穴にカメラねじ部を間挿させて、監視カメラとケースを天井に固着させるので、既設のエレベーターに対するかご内映像記録装置の設置を、短時間で容易に行うことができる。
【図面の簡単な説明】
【００１０】
【図１】本発明のエレベーターのかご内映像記録装置のー実施形態の装置構成を示す図２のＡ−Ａ断面図である。
【図２】本発明の一実施形態のエレベーターの乗場からかご内を見た図である。
【図３】図１に示すケースを下方から見たケース斜視図である。
【図４】本発明のエレベーターのかご内映像記録装置の一実施形態に関し、ケースの取り付け例を示すかご上要部斜視図である。
【発明を実施するための形態】
【００１１】
以下、本発明の一実施形態を、図１〜図４を用いて説明する。
【００１２】
図において、エレベーターのかご１の右奥の天井２に設けられる監視カメラ３は、円筒形のカバー３Ａと、図示しないレンズを保護する半透明のドーム状の保護カバー３Ｂと、頂部に突出したわし部３Ｃとを有し、このねじ部３Ｃを天井２に設けた所定径のカメラ取り付け穴２Ａに間挿し、ナット３Ｄをねじ部３Ｃに螺着して天井２に固定する。ここで、ねじ部３Ｃの先端近傍は円筒構造を成しており、この円筒部の凹部より図示しない直流電源入力線と映像信号出力線の２本が出ている。
【００１３】
また、天井２の上部には監視カメラ３の映像信号を記録する記録装置４と、監視カメラ３と記録装置４とに直流電源を供給する電源装置５が、ケース６内に収納されている。ここで、記録装置４には映像データを記録する記憶媒体である着脱自在のメモリカード４Ａが装着される。
【００１４】
ケース６は、固定部６Ａと蓋部６Ｂに分割可能な直方体構造を成しており、固定部６Ａは、上面と一つの側面が開放され、底面６ＡＡの中央部に設けた固定穴６Ａａと天井２のカメラ取り付け穴２Ａを間挿するねじ部３Ｃヘナット３Ｄを螺着して天井２に固定され、開放されている側面に対向する側面６ＡＢに図示しない２つの穴に間挿されるビス５ａにて電源装置５を取り付け、対向する側面６ＡＣの上部にはねじ穴６Ａｂがそれぞれ設けられている。
【００１５】
また、固定部６Ａの側面６ＡＢには図示しない穴が設けられ、この図示しない穴にブッシング６Ｃが取付けられ、電源装置５に交流電源を供給する図示しない交流電源線の被覆を保護している。
【００１６】
次に、蓋部６Ｂは、固定部６Ａの開放部である上面と一つの側面を覆うように断面略L字状に形成されており、固定部６Ａの開放部である側面を覆う垂直面６ＢＡには、ビス４ａを間挿して記録装置４を締結する穴６Ｂａが２個、中央部の上下にそれぞれ設けられている。
【００１７】
また、蓋部６Ｂの上面６ＢＢの端部には、上面に対し直角に垂下する耳部６Ｂｂを有し、対向する耳部６Ｂｂの中央部に設けた穴６Ｂｃへ図示しないビスを間挿し、ねじ穴６Ａｂに螺着することで、固定部６Ａと蓋部６Ｂを締結する構造を成している。ここで、図示しないビスをねじ穴６Ａｂから取り外し、蓋部６Ｂを上方Ｂへ持ち上げることで、蓋部６Ｂを固定部６Ａから外すことができる。
【００１８】
次に、エレベーターのかご１の天井２へ、監視カメラ３と、記録装置４と電源装置５を収納するケース６とを取り付ける手順を説明する。
【００１９】
まず、天井2の上部に配置されているかご上機器７の配設位置を考慮して、監視カメラ３の取り付け位置を決定し、カメラ取り付け穴２Ａの中点を罫書きする。ここで、カメラ取り付け穴２Ａの開放位置によってかご上機器７にケース６が重ならないように、カメラ取り付け穴２Ａの罫書きには注意が必要であり、かご上機器７にケース６がどうしても重なる場合には、図４に示すようにケース６を回転させかご上機器７との重なりを回避させても良い。
【００２０】
次に、罫書きしたカメラ取り付け穴２Ａの中点位置に、所定径のカメラ取り付け穴２Ａの穴あけ加工を行う。
【００２１】
次に、かご１内から図示しない第１作業者は、監視カメラ３のネジ部３Ｃを天井２に設けたカメラ取り付け穴２Ａへ間挿させ、ネジ部３Ｃを天井９Ａの上部へ突出させる。
【００２２】
一方、天井２の上にて図示しない第２作業者は、天井２に設けたカメラ取り付け穴２Ａから突出したネジ部３Ｃを、固定部６Ａに設けられる固定穴６Ａａへ間挿させるとともに、ネジ部３Ｃにナット３Ｄを螺着させて監視カメラ２を仮止めして撮影方向の調整を行った後、ネジ部３Ｃにナット３Ｄを固着させることで、監視カメラ３の取り付けが完了する。ここで、固定部６Ａへの電源装置５の取り付けと蓋部６Ｂへの記録装置４の取り付けは、予め完了しているものとする。
【００２３】
次に、図示しない第２作業者は、図示しない交流電源線をブッシング６Ｃに間挿させて電源装置５の図示しない交流電源入力端子へ配線し、ねじ部３Ｃの先端に設けられる図示しない直流電源入力線を電源装置５の図示しない直流電源出力端子へ、図示しない映像信号出力線を記録装置４の図示しない映像信号入力端子へ配線するとともに、記録装置４の図示しない直流電源入力端子と電源装置５の図示しない直流電源出力端子を接続することで、配線作業を終了する。
【００２４】
本実施形態によれば、かご１へ監視カメラ３及び記録装置４と電源装置５の取り付けに際する加工作業は、かご１の天井２にカメラ取り付け穴２Ａを設ける作業のみとなり、誰もが簡単且つ短時間に行える。
【００２５】
また、監視カメラ３の映像信号を記録装置４へ出力する図示しない映像信号出力線は、ケース６内の配線となるので、図示しない映像信号出力線に対するノイズの影響を受ける心配が無い。
【符号の説明】
【００２６】
１  かご
２  天井
２Ａ  カメラ取り付け穴
３  監視カメラ
３Ａ  カバー
３Ｂ  保護カバー
３Ｃ  ねじ部
３Ｄ  ナット
４  記録装置
４Ａ  メモリカード
５  電源装置
６  ケース
６Ａ  固定部
６ＡＡ  底面
６Ａａ  固定穴
６Ｂ  蓋部
６Ｃ  ブッシング
７  かご上機器
【図１】
2015016938.tif 000003
【図２】
2015016938.tif 000004
【図３】
2015016938.tif 000005
【図４】
2015016938.tif 000006